(57)【要約】  高価な器具を用いることなく、気管内チューブを確実、迅速かつ容易にマウスの気管内に挿管することが可能な補助具、およびこれを用いたマウス用気管内チューブの挿管方法の提供を目的とする。  本発明の補助具１は、内部に気管内チューブｔを挿通する通孔１１１を有するシャフト本体１１０、を具備したシャフト部材１１と、このシャフト部材１１の一端に接続され、咽頭内における喉頭開口周囲の少なくとも一部に当接するマスク部材２１とを備え、マスク部材２１は、シャフト部材１１の通孔１１１に連通する開口部２１１を有し、開口部２１１を介する気管内チューブｔの送出方向ａ２が、シャフト部材１１の先端方向ａ１に対して鋭角となるように形成されている。
2019142757.tif 000002
【特許請求の範囲】
【請求項１】
気管内チューブを喉頭を介してマウスの気管内へ案内する補助具であって、
内部に前記気管内チューブを挿通する通孔を有するシャフト本体、を具備したシャフト部材と、
このシャフト部材の一端に接続され、咽頭内における喉頭開口周囲の少なくとも一部に当接するマスク部材とを備え、
前記マスク部材は、前記シャフト部材の通孔に連通する開口部を有し、
前記開口部を介する前記気管内チューブの送出方向が、前記シャフト部材の先端方向に対して鋭角となるように形成されていることを特徴とする補助具。
【請求項２】
マスク部材が、気管内チューブの進行方向を偏向する偏向部を有している請求項１に記載の補助具。
【請求項３】
内部に気管内チューブを挿通可能に形成されかつシャフト部材の通孔に連通すると共に、前記気管内チューブの進行方向を偏向する湾曲形状のパイプ部材を備えている請求項１に記載の補助具。
【請求項４】
先端がシャフト部材の軸方向におけるシャフト本体の中途に位置し、前記シャフト本体の外周面から突設した突出部材を備えている請求項１から請求項３のいずれか１項に記載の補助具。
【請求項５】
突出部材が、シャフト部材の軸と開口部の中心とを通る仮想平面に対して対称となるように配置されている請求項４に記載の補助具。
【請求項６】
シャフト部材は、開口部の基端方向の端部から前記シャフト部材の基端方向に沿った所定距離の外周部に、マーカを有している請求項１から請求項５のいずれか１項に記載の補助具。
【請求項７】
開口部を介する気管内チューブの送出方向が、シャフト部材の先端方向に対して４°以上３０°以下となるように形成されている請求項１から請求項６のいずれか１項に記載の補助具。
【請求項８】
気管内チューブを喉頭を介してマウスの気管内へ案内するマウス用気管内チューブの挿管方法であって、
請求項１から請求項７のいずれか１項に記載の補助具を、当該補助具の先端方向から前記マウスの咽頭内に挿入する第１ステップと、
前記第１ステップの後、マスク部材を前記咽頭内における喉頭開口周囲に当接させる第２ステップと、
前記第２ステップの後、前記補助具を介して前記気管内チューブを前記マウスの気管内に挿管する第３ステップとを備えていることを特徴とする挿管方法。
【発明の詳細な説明】
【技術分野】
【０００１】
本発明は、補助具、およびこれを用いたマウス用気管内チューブの挿管方法に関する。
【背景技術】
【０００２】
将来的なヒトへの適用と同じような条件下にてマウスに対して各種の試験を行う際、気管内チューブを用いて麻酔用のガスなどをマウスに導入する手法がある。このような手法としては、例えば、内視鏡をマウスの咽頭に挿入しながら気管内チューブを気管内に挿管し、この気管内チューブを介して上記ガスを送気する技術が知られている（例えば、非特許文献１参照）。【０００３】
このような内視鏡を用いた技術によれば、内視鏡に取り付けられたカメラによる撮影画像を用いて喉頭の位置を正確に把握することができ、上記画像を視ながら気管内チューブを気管内に挿管することができる点で優れている。
【先行技術文献】
【非特許文献】
【０００４】
【非特許文献１】Ｋｅｎｊｉｒｏ  ＫＯＮＮＯ，ｅｔ  ａｌ、「Ｎｅｗ  Ｖｉｓｉｂｌｅ  Ｅｎｄｏｔｒａｃｈｅａｌ  Ｉｎｔｕｂａｔｉｏｎ  Ｍｅｔｈｏｄ  Ｕｓｉｎｇ  ｔｈｅ  Ｅｎｄｏｓｃｏｐｅ  Ｓｙｓｔｅｍ  ｆｏｒ  Ｍｉｃｅ  Ｉｎｈａｌａｔｉｏｎａｌ  Ａｎｅｓｔｈｅｓｉａ」、Ｊ．Ｖｅｔ．Ｍｅｄ．Ｓｃｉ、２０１４年、７６（６）、ｐ．８６３−８６８
【非特許文献２】Ｃｒｏｔａｚ  ＩＲ、「Ｉｎｉｔｉａｌ  ｆｅａｓｉｂｉｌｉｔｙ  Ｉｎｖｅｓｔｉｇａｔｉｏｎ  ｏｆ  ｔｈｅ  ｖ−ｇｅｌ  ａｉｒｗａｙ：ａｎ  ａｎａｔｏｍｉｃａｌｌｙ  ｄｅｓｉｇｎｅｄ  ｓｕｐｒａｇｌｏｔｔｉｃ  ａｉｒｗａｙ  ｄｅｖｉｃｅ  ｆｏｒ  ｕｓｅ  ｉｎ  ｃｏｍｐａｎｉｏｎ  ａｎｉｍａｌ  ｖｅｔｅｒｉｎａｒｙ  ａｎａｅｓｔｈｅｓｉａ」、ｖｅｔｅｒｉｎａｒｙ  Ａｎａｅｓｔｈｅｓｉａ  ａｎｄ  Ａｎａｌｇｅｓｉａ、２０１０年、３７、ｐ．５７９−５８０
【発明の概要】
【発明が解決しようとする課題】
【０００５】
しかしながら、上述したような従来の内視鏡を用いる技術では、内視鏡装置にかかる費用が高く、しかも内視鏡の操作や気管内チューブの気管内への挿管に熟練を要する。【０００６】
ここで、高価な器具を用いない手法として、例えば、ウサギなどの動物に適用可能な喉頭マスク用の声門上気道確保装置（ｖ−ｇｅｌ）（例えば、非特許文献２参照）を改造したものを用いてマウスの気道内に気管内チューブを挿管することも考えられる。【０００７】
しかしながら、上記装置は本来喉頭を単に覆うものであって気管内チューブを挿管するものではなく、加えてマウスの咽頭形状はウサギなどに比べて非常に小さくかつその形状は単なる相似形ではないため、上記装置の単なる改造ではマウスへの気管内チューブの挿管に適用することができない。【０００８】
また、誤操作等によりマウスに過大なストレスを与えることもあり、無理に押し込むことでマウスを死に至らせる虞もある。【０００９】
本発明は、以上のような事情に基づいてなされたものであり、その目的は、高価な器具を用いることなく、気管内チューブを確実、迅速かつ容易にマウスの気管内に挿管することが可能な補助具、およびこれを用いたマウス用気管内チューブの挿管方法を提供することにある。
【課題を解決するための手段】
【００１０】
本開示のいくつかの態様は、
（１）気管内チューブを喉頭を介してマウスの気管内へ案内する補助具であって、
内部に前記気管内チューブを挿通する通孔を有するシャフト本体、を具備したシャフト部材と、
このシャフト部材の一端に接続され、咽頭内における喉頭開口周囲の少なくとも一部に当接するマスク部材とを備え、
前記マスク部材は、前記シャフト部材の通孔に連通する開口部を有し、
前記開口部を介する前記気管内チューブの送出方向が、前記シャフト部材の先端方向に対して鋭角となるように形成されていることを特徴とする補助具、
（２）マスク部材が、気管内チューブの進行方向を偏向する偏向部を有している前記（１）に記載の補助具、
（３）内部に気管内チューブを挿通可能に形成されかつシャフト部材の通孔に連通すると共に、前記気管内チューブの進行方向を偏向する湾曲形状のパイプ部材を備えている前記（１）に記載の補助具、
（４）先端がシャフト部材の軸方向におけるシャフト本体の中途に位置し、前記シャフト本体の外周面から突設した突出部材を備えている前記（１）から（３）のいずれか１項に記載の補助具、
（５）突出部材が、シャフト部材の軸と開口部の中心とを通る仮想平面に対して対称となるように配置されている前記（４）に記載の補助具、
（６）シャフト部材は、開口部の基端方向の端部から前記シャフト部材の基端方向に沿った所定距離の外周部に、マーカを有している前記（１）から（５）のいずれか１項に記載の補助具、
（７）開口部を介する気管内チューブの送出方向が、シャフト部材の先端方向に対して４°以上３０°以下となるように形成されている前記（１）から（６）のいずれか１項に記載の補助具、および
（８）気管内チューブを喉頭を介してマウスの気管内へ案内するマウス用気管内チューブの挿管方法であって、
前記（１）から（７）のいずれか１項に記載の補助具を、当該補助具の先端方向から前記マウスの咽頭内に挿入する第１ステップと、
前記第１ステップの後、マスク部材を前記咽頭内における喉頭開口周囲に当接させる第２ステップと、
前記第２ステップの後、前記補助具を介して前記気管内チューブを前記マウスの気管内に挿管する第３ステップとを備えていることを特徴とする挿管方法
である。【００１１】
なお、本明細書において、「先端方向」とは、シャフト部材の軸方向に沿う方向であって、シャフト部材のマスク部材が設けられていない端部に対するマスク部材が設けられている端部の方向を意味する。また、「基端方向」とは、シャフト部材の軸方向に沿う方向であって、先端方向と反対側の方向を意味する。また、「先端」とは、任意の部材または部位における先端方向の端部、「基端」とは、任意の部材または部位における基端方向の端部をそれぞれ示す。「所定距離」とは、マウスの口腔および咽頭に沿った長さであってマウスの身体の特定部位（例えば門歯など）と喉頭開口との間の標準的な長さ、に対応するように定められた距離を意味する。
【発明の効果】
【００１２】
本発明は、高価な器具を用いることなく、気管内チューブを確実、迅速かつ容易にマウスの気管内に挿管することが可能な補助具、およびこれを用いたマウス用気管内チューブの挿管方法を提供することができる。
【図面の簡単な説明】
【００１３】
【図１】本発明の第１の実施形態を示す概略断面図である。
【図２】図１の概略平面図である。
【図３】本発明の補助具における各部の寸法を説明するための概略図であって、（ａ）は断面図を、（ｂ）は平面図をそれぞれ示している。
【図４】本発明の第２の実施形態を示す概略断面図である。
【図５】図４の概略平面図である。
【図６】本発明の第３の実施形態を示す概略平面図であって、（ａ）〜（ｄ）はそれぞれ各種形状の突出部材を備えている補助具を示している。
【図７】本発明の第３の実施形態を示す概略側面図であって、（ａ）〜（ｆ）はそれぞれ各種形状の突出部材を備えている補助具を示している。
【図８】図１の使用状態を示す概略図であって、（ａ）は補助具を口腔内に挿入した状態、（ｂ）は補助具のマスク部材を喉頭に押し当てた状態、（ｃ）は気管内チューブを挿入する過程の状態、（ｄ）は気管内チューブを気管内に挿入した状態をそれぞれ示している。
【発明を実施するための形態】
【００１４】
＜補助具＞
本発明の一実施形態の補助具は、気管内チューブを喉頭を介してマウスの気管内へ案内する補助具であって、内部に上記気管内チューブを挿通する通孔を有するシャフト本体、を具備したシャフト部材と、このシャフト部材の一端に接続され、咽頭内における喉頭開口周囲の少なくとも一部に当接するマスク部材とを備え、上記マスク部材は、上記シャフト部材の通孔に連通する開口部を有し、上記開口部を介する上記気管内チューブの送出方向が、上記シャフト部材の先端方向に対して鋭角となるように形成されていることを特徴とする。
【００１５】
なお、当該補助具に適用される気管内チューブは、補助具の通孔に沿って湾曲可能な柔軟性を有するチューブであり、例えば、この気管内チューブを介して麻酔ガスや酸素などの気体を気管に送気したり、気管からの呼気を外部に排気する。この気管内チューブの外径は、０．８ｍｍ〜１．２ｍｍ程度である。
【００１６】
以下、本発明の第１〜第３の実施形態について図面を参照して説明するが、本発明は、当該図面に記載の実施形態にのみ限定されるものではない。
【００１７】
［第１の実施形態］
図１は、本発明の第１の実施形態を示す概略断面図である。当該補助具１は、図１に示すように、概略的に、シャフト部材１１と、マスク部材２１とにより構成されている。
【００１８】
シャフト部材１１は、シャフト本体１１０を具備する。また、シャフト部材１１は、マーカ１２０を有していてもよい。
【００１９】
シャフト本体１１０は、内部に気管内チューブｔを挿通する通孔１１１を有する部材である。このシャフト本体１１０は、具体的には、例えば、内部がシャフト部材１１の軸（シャフト本体１１０の軸）方向に沿って貫通する通孔１１１を有するように略円筒形状に形成されている。
【００２０】
シャフト本体１１０の各部の寸法は、マウスの口腔を通して当該補助具１を挿入する際、後述するマスク部材２１の開口部２１１が喉頭開口まで確実に届くように、全長が通常１５ｍｍ〜２０ｍｍであり、マウスの咽頭内に容易に挿入できるように、外径が通常３ｍｍ〜５ｍｍである。内径は、気管内チューブｔの外径にもよるが、通常１ｍｍ〜２ｍｍである。
【００２１】
シャフト本体１１０を構成する材料としては、特に限定されないが、咽頭に沿って当該補助具１を円滑に挿入できる観点から、可撓性を有する材料で形成されていることが好ましく、ポリエステル樹脂、塩ポリ化ビニル樹脂がより好ましく、ポリエステル樹脂がさらに好ましい。また、シャフト本体１１０は、上記材料を用いて形成した部材の外周上にシリコーン樹脂などの層が積層されたものであってもよい。
【００２２】
マーカ１２０は、マウスの咽頭内におけるマスク部材２１の開口部２１１の位置を把握するための目印である。このマーカ１２０は、シャフト本体１１０の表面上であって、開口部２１１の基端方向の端部ｐからシャフト部材１１の基端方向に沿った所定距離Ｌ４（図３参照）の外周部に設けられている。マーカ１２０としては、例えば、上記外周部における円周方向の一部または全周が顔料等で着色されたもの、上記外周部における円周方向の一部または全周に凸部や凹部などの形状的な特徴部位が形成されたもの等を採用することができる。本実施形態では、外周部の全周に顔料を用いて着色したマーカ１２０（図１、図２参照）が例示されている。
【００２３】
ここで、所定距離Ｌ４としては、例えば、標準的なマウスの門歯と喉頭開口との間の平均的な長さと同一の値を採用することができる。この場合、マーカ１２０とマスク部２１の端部ｐとの距離が１１ｍｍ以上１２ｍｍ以下であることが好ましく、１１．６ｍｍであることがより好ましい。これにより、マーカ１２０を門歯に合わせることで、咽頭内を視ることなく、開口部２１１を喉頭開口により正確に合わせることができる。
【００２４】
マスク部材２１は、シャフト部材１１の一端に接続され、咽頭内における喉頭開口周囲の少なくとも一部に当接する。このマスク部材２１は、図２に示すように、シャフト部材１１の通孔１１１に連通する開口部２１１を有している。具体的には、マスク部材２１は、例えば、基端がシャフト本体１１０先端の開口周囲を取り囲むように固定され、上記開口周囲から先端方向に向かって延設されていると共に、内部にシャフト部材１１の通孔１１１と連通する気管内チューブｔ挿通用の通孔２１２を有している。なお、この通孔２１２と上述した通孔１１１とにより気管内チューブｔを挿通可能なルーメン３０１が形成される。
【００２５】
マスク部材２１の開口部２１１周囲の表面形状は、マウスの咽頭内における喉頭開口周囲の形状に見合うように形成することが好ましく、これによりマスク部材２１が喉頭開口に安定して着座し、気管と補助具１のルーメン３０１とを確実に導通することができる。
【００２６】
マスク部材２１の各部の寸法（図３参照）は、咽頭および喉頭開口の形状を考慮し、通常、全長Ｌ１が２ｍｍ〜１１ｍｍ、最大幅Ｌ２が２ｍｍ〜５ｍｍ、最大高さＬ３が２ｍｍ〜６ｍｍである。マスク部材２１の開口部２１１は、喉頭開口の形状を考慮し、通常、全長Ｌ５が４ｍｍ〜６ｍｍ、最大幅Ｌ６が１ｍｍ〜２ｍｍである。
【００２７】
マスク部材２１の先端部の形状は、湾曲形状（いずれの方向から見てもマスク部材２１の先端部が尖っていない形状、図１、図２参照）であることが好ましい。このように、マスク部材２１の先端部の形状が湾曲形状であることで、マスク部材２１（マスク部材２１の先端部）の接触に伴うマウスの感覚受容器への刺激を低減することができ、例えば、反射による呼吸障害などが発生するのを抑制することができる。
【００２８】
マスク部材２１を構成する材料としては、例えば、樹脂材料等が挙げられる。これらの中で、上記材料としては、咽頭内壁の粘膜への接触による刺激を軽減する観点から、シリコーン樹脂、ウレタン樹脂が好ましく、シリコーン樹脂がより好ましい。
【００２９】
このマスク部材２１の形成方法としては、例えば、硬化前の樹脂材料が装填された吐出装置（不図示）を用い、この吐出装置により吐出した樹脂材料をシャフト本体１１０先端に塗布して常温または熱硬化させることで形成する方法、シャフト本体１１０先端を型（不図示）に装着し、シャフト本体１１０の開口周囲に硬化前の樹脂材料を充填してこれを熱硬化させることで形成する方法等を採用することができる。
【００３０】
ここで、当該補助具１は、開口部２１１を介する気管内チューブｔの送出方向ａ２が、シャフト部材１１の先端方向ａ１に対して鋭角（送出角度θ＜９０°、図３参照）となるように形成されている。これにより、当該補助具１をマウスの口腔内に挿通する際、開口部２１１から送出する気管内チューブｔを喉頭の方向に向けることができる。
【００３１】
なお、開口部２１１を介する気管内チューブｔの送出方向ａ２は、シャフト部材１１の先端方向ａ１に対して４°以上３０°以下であることが好ましく、５°以上２５°以下であることがより好ましく、６°以上２２°以下であることが更に好ましい。これにより、気管内チューブｔの送出方向ａ２を気管の方向により正確に向けることができ、気管内チューブｔをより確実にマウスの気管内に挿管することができる。
【００３２】
気管内チューブｔの送出方向ａ２を鋭角にするための構成としては特に限定されず、例えば、本実施形態のように、マスク部材２１が気管内チューブｔの進行方向を偏向する偏向部３１を有していてもよい。具体的には、偏向部３１としては、図１に示すように、例えば、マスク部材２１の開口部２１１近傍の内周に形成された隆起状の部位３１１等を採用することができる。なお、偏向部３１は、マスク部材２１と一体であっても別体であってもよい。
【００３３】
このように、マスク部材２１が偏向部３１を有していることで、当該補助具１は、通孔１１１を通過した気管内チューブｔの進行方向を、偏向部３１との接触によりシャフト部材１１の先端方向ａ１に対して鋭角に偏向することができ、簡易な構成で気管内チューブｔをマウスの気管内に挿管することができる。
【００３４】
なお、当該補助具１の使用態様については、＜マウス用気管内チューブの挿管方法＞の項で後述する。
【００３５】
以上のように、当該補助具１は、上記構成であるので、当該補助具１を用いてマウス用の気管内チューブｔを気管内に挿管する際、気管内チューブｔの送出方向ａ２が先端方向ａ１に対して鋭角である分、この気管内チューブｔが食道に入ることなく喉頭を介して気管に挿管することができ、内視鏡のような高価な器具を用いることなく、気管内チューブｔを確実、迅速かつ容易にマウスの気管内に挿管することができる。また、本実施形態では、シャフト部材１１がマーカ１２０を有しているので、マスク部材２１の開口部２１１をマウスの喉頭開口により正確に合わせることができる。
【００３６】
［第２の実施形態］
図４は、本発明の第２の実施形態を示す概略断面図である。当該補助具２は、図４に示すように、概略的に、シャフト部材１１と、マスク部材２１と、パイプ部材５２とにより構成されている。本実施形態は、パイプ部材５２を備えている点で、第１の実施形態と異なっている。なお、シャフト部材１１およびマスク部材２１の構成は、第１の実施形態のものと同様であるので、同一部分には同一符号を付してその詳細な説明は省略する。また、当該補助具２の使用態様についても、後述する＜マウス用気管内チューブの挿管方法＞の項での説明を援用する。
【００３７】
パイプ部材５２は、内部に気管内チューブｔを挿通可能に形成されかつシャフト部材１１の通孔１１１に連通すると共に、気管内チューブｔの進行方向を偏向する湾曲形状の部材である。本実施形態では、パイプ部材５２は、基端がシャフト本体１１０の通孔１１１に挿入され、この挿入されたパイプ部材５２の外周とシャフト本体１１０の内周とが密着するように固定されている。また、パイプ部材５２は、図５に示すように、先端の開口端面５２２がマスク部材２１の開口部２１１に臨むように配置されている。また、パイプ部材５２は、開口部２１１からの気管内チューブｔの送出方向ａ２が先端方向ａ１に対して鋭角となるように、先端と基端との間の中途にて略円弧状の湾曲形状に形成されている。なお、パイプ部材５２の通孔５２１と通孔１１１とにより気管内チューブｔを挿通可能なルーメン３０２が形成される。
【００３８】
パイプ部材５２と構成する材料としては、例えば、ステンレス鋼、チタン合金、コバルトクロム合金等が挙げられる。これらの中で、パイプ部材５２と構成する材料としては、作製容易性の観点から、ステンレス鋼が好ましく、ＳＵＳ３０４がより好ましい。
【００３９】
以上のように、当該補助具２は、上記構成であるので、通孔１１１内を通過した気管内チューブｔの進行方向を、パイプ部材５２の湾曲形状に沿うようにシャフト部材１１の先端方向ａ１に対して鋭角に偏向（送出方向ａ２）することができ、簡易な構成で気管内チューブｔをマウスの気管内に挿管することができる。
【００４０】
［第３の実施形態］
図６および図７は、それぞれ本発明の第３の実施形態を示す概略平面図および概略側面図である。当該補助具３（３ｍ１〜３ｍ１０）は、図６、図７に示すように、概略的に、シャフト部材１１と、マスク部材２１と、突出部材６３とにより構成されている。本実施形態は、突出部材６３を備えている点で第１の実施形態と異なっている。なお、シャフト部材１１およびマスク部材２１の構成は、第１の実施形態のものと同様であるので、同一部分には同一符号を付してその詳細な説明は省略する。また、当該補助具３の使用態様についても、後述する＜マウス用気管内チューブの挿管方法＞の項での説明を援用する。
【００４１】
突出部材６３は、先端がシャフト部材１１の軸方向におけるシャフト本体１１０の中途に位置し、シャフト本体１１０の外周面から突設した部材である。この突出部材６３は、例えば、その一部がシャフト本体１１０の外周に接着剤等を用いて固着され、シャフト本体１１０の外方に向かって延伸するように形成することができる。
【００４２】
突出部材６３の具体的な形状としては、平面視の形状として、例えば、三角形状のもの（図６（ａ）の突出部材６３ｍ１参照）、矩形状のもの（図６（ｂ）の突出部材６３ｍ２参照）、段階的に幅が変化する形状のもの（図６（ｃ）の突出部材６３ｍ３参照）、シャフト本体１１０の片側にのみ突設したもの（図６（ｄ）の突出部材６３ｍ４参照）等、側面視の形状として、例えば、シャフト本体１１０から放射状に延びる形状のもの（図７（ａ）〜図７（ｄ）の突出部材６３ｍ５〜６３ｍ８参照）、シャフト本体１１０に外接する形状のもの（図７（ｅ）、図７（ｆ）の突出部材６３ｍ９、６３ｍ１０参照）等を採用することができる。ここで、上述にて例示した平面視の形状と側面視の形状とは、可能な範囲で任意に組み合わせることができる。
【００４３】
なお、突出部材６３は、シャフト部材１１の軸と開口部２１１の中心とを通る仮想平面ｂに対して対称となるように配置されていることが好ましい（図６（ａ）〜図６（ｃ）、図７（ａ）、図７（ｂ）、図７（ｄ）〜図７（ｆ）参照）。これにより、当該補助具３をマウスの口腔内に挿入する際、シャフト部材１１の軸を咽頭の軸中心に可及的に近づけることができ、マスク部材２１を咽頭開口により安定して着座させることができる。
【００４４】
また、平面視において、シャフト部材１１の軸に直交する方向における突出部材６３の最大幅は、突出部材６３先端の幅よりも大きいことが好ましい（図６（ａ）、図６（ｃ）参照）。これにより、当該補助具３をマウスの口腔内に円滑に挿入することができる。
【００４５】
また、突出部材６３は、全体として扁平形状（略扁平形状）に形成されていることが好ましい（図７（ａ）〜図７（ｃ）、図７（ｅ）、図７（ｆ）参照）。これにより、突出部材６３をマウスの特徴である横断面の内周が扁平な口腔形状に対応させる（沿わせる）ことができ、マスク部材２１を咽頭開口にさらに安定して着座させることができる。
【００４６】
以上のように、当該補助具３は、上記構成であるので、マウスの口腔内に安定して着座させることができる。
【００４７】
＜マウス用気管内チューブの挿管方法＞
本発明の一実施形態のマウス用気管内チューブの挿管方法は、気管内チューブを喉頭を介してマウスの気管内へ案内するマウス用気管内チューブの挿管方法であって、当該補助具を、当該補助具の先端方向から上記マウスの咽頭内に挿入する第１ステップと、上記第１ステップの後、マスク部材を上記咽頭内における喉頭開口周囲に当接させる第２ステップと、上記第２ステップの後、上記補助具を介して上記気管内チューブを上記マウスの気管内に挿管する第３ステップとを備えていることを特徴とする。
【００４８】
以下、当該挿管方法について詳述する。ここでは、補助具として、＜補助具＞の項の第１の実施形態にて上述したものを例に取り、図８を参照して説明する。
【００４９】
［第１ステップ］
第１ステップでは、当該補助具１を、当該補助具１の先端方向からマウスｍの咽頭ｍ３内に挿入する。具体的には、図８（ａ）に示すように、マウスｍの口腔ｍ２に補助具１を挿入した後、この補助具１を、例えば、マーカ１２０を有する場合は、マーカ１２０がマウスｍの門歯ｍ１の位置に達するまで咽頭ｍ３に押し入れたり、マーカ１２０を有しない場合は、補助具１の押し込み抵抗が変化（増加）するまで咽頭ｍ３に押し入れることで、補助具１を適正な位置に挿入する。
【００５０】
［第２ステップ］
第２ステップでは、上述した第１ステップを実行した後、図８（ｂ）に示すように、マスク部材２１を喉頭ｍ３方向に移動させ、このマスク部材２１表面を咽頭ｍ３内における喉頭開口ｍ５周囲に当接させる。この際、マスク部材２１は、少なくともその一部が単に喉頭開口ｍ５周囲に接触していればよく、喉頭開口ｍ５周囲を完全に覆う必要はない。
【００５１】
ここで、マスク部材２１表面の一部を喉頭蓋ｍ６に接触させることで、喉頭蓋ｍ６が喉頭開口ｍ５を閉じないように、喉頭蓋ｍ６の表面を支承することが好ましい。これにより、後述する気管内チューブｔの気管ｍ７内への挿入をより円滑に行うことができる。
【００５２】
［第３ステップ］
第３ステップでは、上述した第２ステップを実行した後、補助具１を介して気管内チューブｔをマウスｍの気管ｍ７内に挿管する。具体的には、シャフト部材１１の基端開口１１２から気管内チューブｔを挿入し、この気管内チューブｔを通孔１１１、通孔２１２の順で押し進め（図８（ｃ）参照）、気管内チューブｔの先端を喉頭ｍ４を介して気管ｍ７内に挿管する（図８（ｄ）参照）。
【００５３】
なお、気管内チューブｔを気管ｍ７内に挿管した後は、例えば、この気管内チューブｔに接続されたレスピレータ等を用いて麻酔ガスの送気や呼吸の促進などのような所望の処置を行うことができ、上記処置を実行した後、例えば、気管内チューブｔ、補助具１の順でこれらをマウスｍの喉頭ｍ４、咽頭ｍ３および口腔ｍ２から引き抜く。
【００５４】
以上のように、当該挿管方法は、上記構成であるので、補助具１を用いてマウス用の気管内チューブｔを気管ｍ７内に挿管する際、気管内チューブｔの送出方向ａ２が先端方向ａ１に対して鋭角である分、この気管内チューブｔを食道ｍ８に入ることなく喉頭ｍ４を介して気管ｍ７に挿管することができ、内視鏡のような高価な器具を用いることなく、気管内チューブｔを確実、迅速かつ容易にマウスｍの気管ｍ７内に挿管することができる。
【００５５】
なお、本発明は、上述した実施形態の構成に限定されるものではなく、特許請求の範囲によって示され、特許請求の範囲と均等の意味および範囲内での全ての変更が含まれることが意図される。
【００５６】
例えば、第１の実施形態ではマスク部材２１が偏向部３１を有する補助具１、第２の実施形態ではパイプ部材５２を備えている補助具２について説明したが、開口部２１１を介する気管内チューブｔの送出方向ａ２が、シャフト部材１１の先端方向ａ１に対して鋭角となるように形成されていれば、上記補助具１、２以外の補助具であってもよい。
【００５７】
また、上述した実施形態では、マーカ１２０を有するシャフト部材１１を備えている補助具１〜３について説明したが、当該補助具は、マーカを有していないものであってもよい。
【００５８】
また、＜マウス用気管内チューブの挿管方法＞の項では、補助具１を用いた挿管方法について説明したが、本発明の挿管方法に用いる補助具は、本発明に係るいずれの態様の補助具であってもよく、例えば、補助具３を用いることもできる。この場合、上述した挿管方法の第１ステップにおいて、突出部材６３を口腔ｍ２内壁に沿わせるようにマウスｍの咽頭ｍ３内に挿入することが好ましい。
【符号の説明】
【００５９】
１、２、３、３ｍ１〜３ｍ１０  補助具
１１  シャフト部材
１１０  シャフト本体
１２０  マーカ
２１  マスク部材
２１１  開口部
３１  偏向部
５２  パイプ部材
６３、６３ｍ１〜６ｍ１０  突出部材
１１１、２１２、５２１  通孔
ｂ  仮想平面
ｔ  気管内チューブ
ｍ  マウス
ｍ３  咽頭
ｍ４  喉頭
ｍ５  喉頭開口
【図１】
2019142757.tif 000003
【図２】
2019142757.tif 000004
【図３】
2019142757.tif 000005
【図４】
2019142757.tif 000006
【図５】
2019142757.tif 000007
【図６】
2019142757.tif 000008
【図７】
2019142757.tif 000009
【図８】
2019142757.tif 000010
【国際調査報告】
2019142757.tif 000011
2019142757.tif 000012
2019142757.tif 000013
2019142757.tif 000014